(57)【要約】【課題】イオン交換樹脂を用いることなく水道水や井戸水の被処理水の硬度を下げると共に、長時間使用しても析出したスケールによって目詰まりを起こさない、スケール析出促進装置を提供すること。【解決手段】処理水を貯める貯留塔と、貯留塔の上部に設置され被処理水と処理ガスとを混合し貯留塔内に噴霧する噴霧ノズルと、貯留塔から処理水を排水する排水管と、貯留塔内の空間を噴霧ノズルから排水管に向かって複数の空間に仕切る複数枚のスケール析出板とを備え、スケール析出板は複数の開口部を設け、開口部の大きさは噴霧ノズルから排水管に向かって順次小さくする。【選択図】図３
2012120993.tif 000002
【特許請求の範囲】
【請求項１】
処理水を貯める貯留塔と、
前記貯留塔の上部に設置され被処理水と処理ガスとを混合し前記貯留塔内に噴霧する噴霧ノズルと、
前記貯留塔から前記処理水を排水する排水管と、
前記貯留塔内の空間を前記噴霧ノズルから前記排水管に向かって複数の空間に仕切る複数枚のスケール析出板とを備え、
前記スケール析出板は複数の開口部を設け、
前記開口部の大きさは前記噴霧ノズルから前記排水管に向かって順次小さくなることを特徴とするスケール析出促進装置。
【請求項２】
貯留塔の内部を負圧にする真空ポンプを備えたことを特徴とする請求項１に記載のスケール析出促進装置。
【発明の詳細な説明】
【技術分野】
【０００１】
この発明は、水中の硬度成分をスケールとして析出させて除外するためのスケール析出促進装置に関するものである。
【背景技術】
【０００２】
給湯器またはヒートポンプを運転するとき、給湯器またはヒートポンプに通水する水道水や井戸水は加熱されて高温になる。このとき、通水する水道水や井戸水の硬度が高い場合、水中の硬度成分を主成分とするスケールという固形物が析出してしまい、その一部は水が通る配管内に固着するという現象が起こる。このスケールの析出が多くなると、熱効率の低下を招いたり配管のつまりを発生させたりするので、水中の硬度成分を予め除去する必要がある。
【０００３】
被処理水である水道水や井戸水の硬度成分を除去する方法として、被処理水を噴霧ノズルによって噴霧し、溶存する炭酸ガスを空気中に放散する方法が提案されている（例えば、特許文献１参照）。
【０００４】
【特許文献１】特開平７−１７８３８７号公報
【発明の開示】
【発明が解決しようとする課題】
【０００５】
しかしながら、特許文献１に示されている方法では、処理装置の配管内部や噴霧ノズルの開口部などにもスケールが析出し、目詰まりを起こすという問題があった。
【０００６】
この発明は、上述のような課題を解決するためになされたもので、イオン交換樹脂を用いることなく被処理水の硬度を下げると共に、析出したスケールによって目詰まりを起こさないスケール析出促進装置を提供するものである。
【課題を解決するための手段】
【０００７】
この発明に係るスケール析出促進装置は、処理水を貯める貯留塔と、貯留塔の上部に設置され被処理水と処理ガスとを混合し貯留塔内に噴霧する噴霧ノズルと、貯留塔から処理水を排水する排水管と、貯留塔内の空間を噴霧ノズルから排水管に向かって複数の空間に仕切る複数枚のスケール析出板とを備え、スケール析出板は複数の開口部を設け、開口部の大きさは噴霧ノズルから排水管に向かって順次小さくなるものである。
【発明の効果】
【０００８】
この発明は、処理水を貯める貯留塔と、貯留塔の上部に設置され被処理水と処理ガスとを混合し貯留塔内に噴霧する噴霧ノズルと、貯留塔から処理水を排水する排水管と、貯留塔内の空間を噴霧ノズルから排水管に向かって複数の空間に仕切る複数枚のスケール析出板とを備え、スケール析出板は複数の開口部を設け、開口部の大きさは噴霧ノズルから排水管に向かって順次小さくなるので、スケールの析出による目詰まりなどの不具合を起こすことなく被処理水の硬度を下げることができる。
【発明を実施するための最良の形態】
【０００９】
実施の形態１．
図１は、本発明の実施の形態１によるスケール析出促進装置の断面図である。二流体ノズル１には、水道水や井戸水などの被処理水を送り込む水供給管２と二酸化炭素を除外した空気や窒素ガスなどの二酸化炭素濃度が低い処理ガスを送り込むガス配管３が取り付けられている。二流体ノズル１は、被処理水と処理ガスを混合し、貯留塔４の内側の壁面に噴射するように貯留塔４に取り付けられており、貯留塔４の内側の壁面に噴射された液滴６は、処理水７として貯留塔４の下部に蓄積される。また、貯留塔４の下部に蓄積された処理水７は、排水管５を通じて給湯器やヒートポンプに供給される。
【００１０】
次に、実施の形態１によるスケール析出促進装置の動作を説明する。二流体ノズル１において被処理水と二酸化炭素濃度が低い処理ガスが激しく混合されることにより、被処理水中の炭酸ガスが脱気され、被処理水中の硬度成分であるカルシウムイオンやマグネシウムイオンなどが炭酸塩や硫酸塩などの塩として析出しやすい状態の微少液滴となる。この状態の液滴６を貯留塔４の内側の壁面に衝突させる。貯留塔４は、スケールの核が生成・付着するようなガラスなど材質で構成されており、液滴６が貯留塔４の壁面に衝突することにより、被処理水の硬度成分が壁面に付着し、除外される。このとき、二流体ノズル１は、開口部が十分に大きいこと、圧力を加えて大量のガスを送り込むために開口部壁面での被処理水の滞留が少ないことから、スケールの析出による目詰まりを抑制するという効果もある。
【００１１】
なお、実施の形態１では二流体ノズルを用いたが、これに代えて水エゼクタを用いても同じ効果を得ることができる。使用する水エゼクタの種類は、処理水量、噴霧される液滴の噴霧量、平均粒子径によって、任意に選ぶとよい。また、設置する水エゼクタの個数や設置角度は、任意に設定してもよい。
【００１２】
また、図１に示した本発明の実施の形態１では、二流体ノズル１から噴射された液滴６を貯留塔４の内側の壁面に衝突させるような構成であったが、別途、貯留塔４の内部に液滴６を衝突させるための壁面を設置しても同じ効果が得られる。
【実施例１】
【００１３】
図１に示したスケール析出促進装置によって、被処理水として全硬度２７０ｍｇＣａＣＯ３／Ｌの水道水を用いて、処理ガスとして二酸化炭素を含まない窒素ガスを用いて、スケール析出を行った。被処理水の水温は、約４０〜１００℃に設定した。また、被処理水の流量を約０．５Ｌ／分、処理ガスの流量を約５７Ｌ／分として二流体ノズル１に供給し、二流体ノズル１から噴霧される液滴６の平均粒子径は４００μｍ以下になるようにした。その結果。水道水中の全硬度は、２７０ｍｇＣａＣＯ３／Ｌから１８０ｍｇＣａＣＯ３／Ｌまで減少した。すなわち、図１に示したスケール析出促進装置によって約３３％の硬度成分除外ができたことになる。また、処理ガスとして二酸化炭素を含んだ通常の空気を用いた場合と比べて、窒素ガスを用いた方が硬度成分除外の効果が高いことが確認された。
【００１４】
この処理を行うとき、二流体ノズル１から噴霧される液滴の平均粒子径を４００μｍ以下になるように被処理水及び処理ガスの流量を調整すると、被処理水と処理ガスがよく混合されて本発明の効果が高くなる。例えば、被処理水の流量を約０．５Ｌ／分、処理ガスの流量を約５７Ｌ／分として二流体ノズルに供給するとよい。この例では、８時間程度で約２４０Ｌのタンクを満水にできるため、お風呂などに使うお湯を昼間に貯めておくことができる。なお、ここで示した供給量は、使用する二流体ノズルの種類や該ノズルから噴霧される液滴の噴霧量や平均粒子径によって任意に調整するとよい。また、設置するノズルを複数個にしてもよい。この場合、処理時間を短縮できたり、処理水量を増やしたりすることができる。また、ノズルの設置角度は任意に設置してよい。
【００１５】
被処理水や処理ガスの供給方法は、加圧ポンプなどによって供給してもよい。また、処理ガスとして窒素ガスを供給する方法は、ガスボンベから供給してもよいし、窒素ガス発生装置などを用いて供給してもよい。また、二酸化炭素を除外した空気を供給する場合の方法としては、ゼオライト、活性炭、アルミナなどの吸着剤に触れさせて二酸化炭素を吸着除外させて供給する方法、多孔質の高分子やセラミックなどの膜に通して二酸化炭素を除外して供給する方法、リチウムシリケートや酸化亜鉛に二酸化炭素を吸収させ除外して供給する方法、アミンや炭酸カリウム水溶液などのアルカリ性の溶液に二酸化炭素を吸収させ除外して供給する方法や窒素８０％、酸素２０％の混合ガスボンベから供給する方法などがある。これらの方法によって、二酸化炭素を除外した空気として供給してもよい。
また、液滴を衝突させるガラスは、その組成について特に制約はなくてよい。
【００１６】
実施の形態２．
図２は、本発明の実施の形態２によるスケール析出促進装置の断面図である。図２を実施の形態１によるスケール析出促進装置の断面図である図１と比べると、貯留塔４の内部を真空にするための真空ポンプ８が設置されている以外は同じである。実施の形態２では、二流体ノズル１において被処理水と二酸化炭素濃度が低い処理ガスが激しく混合されることにより被処理水中の炭酸ガスが脱気され、さらに、ここで発生した炭酸ガスが真空ポンプ８によって貯留塔４の外に排気される。これにより、炭酸ガスの処理水への再溶解を防ぐことができ、スケールの析出を促すことになる。
【００１７】
なお、実施の形態２では二流体ノズルを用いたが、これに代えて水エゼクタを用いても同じ効果を得ることができる。使用する水エゼクタの種類は、処理水量、噴霧される液滴の噴霧量、平均粒子径によって、任意に選ぶとよい。また、設置する水エゼクタの個数や設置角度は、任意に設定してもよい。
【００１８】
実施の形態１と同様に、使用する二流体ノズルの種類、該ノズルへの被処理水および処理ガスの供給量は、任意に調整するとよい。設置するノズルの個数、設置角度、被処理水および処理ガスの供給方法も、任意に調整するとよい。
【００１９】
実施の形態３．
図３は、本発明の実施の形態３によるスケール析出促進装置の断面図である。図３を実施の形態２によるスケール析出促進装置の断面図である図２と比べると、ノズル１から噴射される液滴６が鉛直方向に飛ぶようにノズル１が貯留塔４の上部に設置されていること、および、貯留塔４の内部にスケール析出板９ａ，９ｂ，９ｃが設置されていること以外は、同じである。スケール析出板９ａ，９ｂ，９ｃは、スケールの核が生成・付着するようなガラスなど材質で構成されており、貯留塔４の内部の空間を仕切るように設置されている。図４は、本発明の実施の形態３によるスケール析出促進装置における、スケール析出板９ａ，９ｂ，９ｃの上面図である。スケール析出板９ａ，９ｂ，９ｃには複数個の穴が開けられており、スケール析出板９ａの穴が最も大きく、スケール析出板９ｂの穴はスケール析出板９ａの穴より小さく数が多い。スケール析出板９ｃの穴は、スケール析出板９ｂと比べてさらに穴が小さく数が多い。
【００２０】
次に、本発明の実施の形態３によるスケール析出促進装置の動作について、説明する。二流体ノズル１において被処理水と二酸化炭素濃度が低い処理ガスが激しく混合されることにより、被処理水中の炭酸ガスが脱気され、被処理水中の硬度成分であるカルシウムイオンやマグネシウムイオンなどが炭酸塩や硫酸塩などの塩として析出しやすい状態の微少液滴となる。この状態の液滴６をスケール析出板９ａに噴射する。スケール析出板９ａはスケールの核が生成・付着するようなガラスなど材質で構成されており、液滴６がスケール析出板９ａの板面に衝突することにより、被処理水の硬度成分がスケール析出板９ａに付着し、除外される。液滴６の一部は、スケール析出板９ａの穴を通って、スケール析出板９ｂの板面に衝突する。これにより、スケール析出板９ａと同様に、スケール析出板９ｂにおいても被処理水の硬度成分がスケール析出板９ｂに付着し、除外される。さらに、液滴６の一部は、スケール析出板９ｂの穴を通って、スケール析出板９ｃの板面に衝突する。これにより、スケール析出板９ａ、９ｂと同様に、スケール析出板９ｃにおいても被処理水の硬度成分がスケール析出板９ｃに付着し、除外される。
【００２１】
このように、穴の開いた複数枚のスケール析出板に液滴６を衝突させることにより、より多くの硬度成分の除外が可能となる。また、液滴６が最初に衝突するスケール析出板９ａは、３枚のスケール析出板の中で最もスケールの付着量が多くなるが、最も大きな穴を開けているので、スケールによって穴がふさがれる危険性が小さい。また、最も下部のスケール析出板９ｃは小さな穴を開けているので、より多くの液滴と衝突することが可能である。また、液滴６を貯留塔４の壁面ではなく、スケール析出板９ａ，９ｂ，９ｃに噴射する構成にしたため、スケールが大量に付着したときにはスケール析出板９ａ，９ｂ，９ｃのみを交換すれば引き続き使用可能となる。
【００２２】
なお、実施の形態３では二流体ノズルを用いたが、これに代えて水エゼクタを用いても同じ効果を得ることができる。使用する水エゼクタの種類は、処理水量、噴霧される液滴の噴霧量、平均粒子径によって、任意に選ぶとよい。また、設置する水エゼクタの個数や設置角度は、任意に設定してもよい。
【００２３】
設置するガラス板の枚数、穴の形状・大きさ・個数は、任意に設計してよい。実施の形態１と同様に、使用する二流体ノズルの種類、該ノズルへの被処理水および処理ガスの供給量は、任意に調整するとよい。設置するノズルの個数、設置角度、被処理水および処理ガスの供給方法も、任意に調整するとよい。
【００２４】
実施の形態４．
図５は、本発明の実施の形態４によるスケール析出促進装置の断面図である。図５を実施の形態３によるスケール析出促進装置の断面図である図３と比べると、被処理水を貯留塔４に供給する被処理水供給管１０が設置されていること、および、貯留塔４の下部に蓄積された処理水７を二流体ノズル１に送り込むための配管１１とポンプ１２が設置されていること以外は、同じである。実施の形態４では、貯留塔４の下部に蓄積された処理水７をポンプ１２によって吸い上げ、配管１１を通して二流体ノズル１に供給する。これにより、被処理水を複数回にわたって二流体ノズル１から噴射することができるため、炭酸ガスの脱気量をより多くすることができる。その結果、スケール析出の効果を、より大きくすることができる。
【００２５】
なお、実施の形態４では二流体ノズルを用いたが、これに代えて水エゼクタを用いても同じ効果を得ることができる。使用する水エゼクタの種類は、処理水量、噴霧される液滴の噴霧量、平均粒子径によって、任意に選ぶとよい。また、設置する水エゼクタの個数や設置角度は、任意に設定してもよい。
【００２６】
実施の形態３と同様に、設置するガラス板の枚数、穴の形状・大きさ・個数は、任意に設計してよい。実施の形態１と同様に、使用する二流体ノズルの種類、該ノズルへの被処理水および処理ガスの供給量は、任意に調整するとよい。また、設置する水エゼクタの個数や設置角度は任意に設定してもよい。
【００２７】
実施の形態５．
図６は、本発明の実施の形態５によるスケール析出促進装置の断面図である。図６を実施の形態４によるスケール析出促進装置の断面図である図５と比べると、貯留塔４の内部の気体を二流体ノズル１に送り込むための配管１３と気体用ポンプ１４、および、二酸化炭素吸着剤１５が設置されていること以外は、同じである。実施の形態５では、貯留塔４の内部の気体を気体用ポンプ１４によって吸い出し、二酸化炭素吸着剤１５を通すことにより気体中の二酸化炭素濃度を低下させ、配管１３を通して二流体ノズル１に供給する。これにより、外部から窒素ガスを供給する必要が無いため、省エネ、省スペースで設置・運転できる効果がある。
【００２８】
なお、実施の形態５では二流体ノズルを用いたが、これに代えて水エゼクタを用いても同じ効果を得ることができる。使用する水エゼクタの種類は、処理水量、噴霧される液滴の噴霧量、平均粒子径によって、任意に選ぶとよい。また、設置する水エゼクタの個数や設置角度は、任意に設定してもよい。
【００２９】
実施の形態３と同様に、設置するガラス板の枚数、穴の形状・大きさ・個数は、任意に設計してよい。実施の形態１と同様に、使用する二流体ノズルの種類、該ノズルへの被処理水および処理ガスの供給量は、任意に調整するとよい。また、設置する水エゼクタの個数や設置角度は任意に設定してもよい。
【図面の簡単な説明】
【００３０】
【図１】本発明の実施の形態１によるスケール析出促進装置の断面図である。
【図２】本発明の実施の形態２によるスケール析出促進装置の断面図である。
【図３】本発明の実施の形態３によるスケール析出促進装置の断面図である。
【図４】本発明の実施の形態３によるスケール析出板の上面図である。
【図５】本発明の実施の形態４によるスケール析出促進装置の断面図である。
【図６】本発明の実施の形態５によるスケール析出促進装置の断面図である。
【符号の説明】
【００３１】
１  二流体ノズル
２  水供給管
３  ガス配管
４  貯留塔
５  排水管
６  液滴
７  処理水
８  真空ポンプ
９ａ  スケール析出板
９ｂ  スケール析出板
９ｃ  スケール析出板
【図１】
2012120993.tif 000003
【図２】
2012120993.tif 000004
【図３】
2012120993.tif 000005
【図４】
2012120993.tif 000006
【図５】
2012120993.tif 000007
【図６】
2012120993.tif 000008